(57)【特許請求の範囲】
【請求項１】
ＡＴＳＣ方式およびＮＴＳＣ方式のテレビジョン信号を受信できるディジタル／アナログテレビジョン信号受信機において、
受信可能な前記ＡＴＳＣ方式のテレビジョン信号についてのバーチャルチャネルのチャネル番号についてのチャネルデータを記憶する第１記憶手段、
受信可能な前記ＮＴＳＣ方式のテレビジョン信号についての第１アナログテレビジョンチャネルのチャネル番号についてのチャネルデータを記憶する第２記憶手段、
前記バーチャルチャネルに含まれる第２アナログテレビジョンチャネルの受信状態をオートスキャン時に検出する検出手段、
前記受信状態が受信可能を示すとき、前記第１アナログテレビジョンチャネルのチャネル番号についてのチャネルデータを削除する第１削除手段、および
前記受信状態が受信不能を示すとき、前記第２アナログテレビジョンチャネルのチャネル番号についてのチャネルデータを削除する第２削除手段を備えることを特徴とする、ディジタル／アナログテレビジョン信号受信機。
【請求項２】
ＡＴＳＣ方式およびＮＴＳＣ方式のテレビジョン信号を受信できるディジタル／アナログテレビジョン信号受信機において、
受信可能な前記ＡＴＳＣ方式のテレビジョン信号についてのバーチャルチャネルテーブルを記憶する第１記憶手段、
受信可能な前記ＮＴＳＣ方式のテレビジョン信号についての第１アナログテレビジョンチャネルのチャネル番号についてのチャネルデータを記憶する第２記憶手段、
前記バーチャルチャネルテーブルに含まれる第２アナログテレビジョンチャネルの受信状態を検出する検出手段、および
前記受信状態に応じて前記第１アナログテレビジョンチャネルのチャネル番号についてのチャネルデータおよび前記第２アナログテレビジョンチャネルのチャネル番号についてのチャネルデータの一方を削除する削除手段を備えることを特徴とする、ディジタル／アナログテレビジョン信号受信機。
【請求項３】
前記検出手段は、前記受信状態をオートスキャン時に検出する、請求項２記載のディジタル／アナログテレビジョン信号受信機。
【請求項４】
前記削除手段は、前記受信状態が受信可能を示すとき、前記第１アナログテレビジョンチャネルのチャネル番号についてのチャネルデータを削除する、請求項２または３記載のディジタル／アナログテレビジョン信号受信機。
【請求項５】
前記削除手段は、前記受信状態が受信不能を示すとき、前記第２アナログテレビジョンチャネルのチャネル番号についてのチャネルデータを削除する、請求項２ないし４のいずれかに記載のディジタル／アナログテレビジョン信号受信機。
【発明の詳細な説明】
【０００１】
【産業上の利用分野】
この発明はアナログ／ディジタルテレビジョン信号受信機に関し、特にたとえばＡＴＳＣ方式およびＮＴＳＣ方式のテレビジョン信号を受信できる、ディジタル／アナログテレビジョン信号受信機に関する。
【０００２】
【従来の技術】
従来のこの種のディジタル／アナログテレビジョン信号受信機の例が、平成１２年２月２５日付けで出願公開された特開２０００−５９１８０号［Ｈ０３Ｊ  ５／２４，Ｈ０４Ｂ  １／１６，Ｈ０４Ｎ  ５／４４］公報に開示されている。このテレビジョン受像機では、従来のアナログテレビジョンチャネルを識別し、識別した各チャネルのスキップフラグデータがメモリに記憶される。次に、ディジタルテレビジョンチャネルを識別し、アナログテレビジョンチャネルのチャネルマップ情報を削除または上書きせずに、識別した各ディジタルテレビジョンチャネルのスキップフラグデータがメモリに記憶される。このように、アナログおよびディジタルフォーマットのテレビジョンチャネルのチャネルマップを作成することにより、ユーザは有効な（視聴可能な）チャネルのみを容易に選局していた。
【０００３】
【発明が解決しようとする課題】
しかし、この従来技術では、視聴可能なチャネルについてすべてマッピングするようにしているため、従来のアナログテレビジョンチャネルとディジタルテレビジョンチャネルのバーチャルチャネルに含まれるアナログテレビジョンチャネルとが重複して記憶されていた。つまり、ＮＴＳＣ方式のアナログテレビジョンチャネルが複数記憶されていた。また、アナログテレビジョンチャネルの放送が行われていなかったり、放送はあるが受信環境により正常にアナログテレビジョン信号を受信できなかったりするような場合にも、バーチャルチャネルにアナログテレビジョンチャネルが記述されてしまっていた。このため、選局が煩わしかった。
【０００４】
それゆえに、この発明の主たる目的は、簡単に所望のチャネルを選局することができる、ディジタル／アナログテレビジョン信号受信機を提供することである。
【０００５】
【課題を解決するための手段】
第１の発明は、ＡＴＳＣ方式およびＮＴＳＣ方式のテレビジョン信号を受信できるディジタル／アナログテレビジョン信号受信機において、受信可能なＡＴＳＣ方式のテレビジョン信号についてのバーチャルチャネルのチャネル番号についてのチャネルデータを記憶する第１記憶手段、受信可能なＮＴＳＣ方式のテレビジョン信号についての第１アナログテレビジョンチャネルのチャネル番号についてのチャネルデータを記憶する第２記憶手段、バーチャルチャネルに含まれる第２アナログテレビジョンチャネルの受信状態をオートスキャン時に検出する検出手段、受信状態が受信可能を示すとき、第１アナログテレビジョンチャネルのチャネル番号についてのチャネルデータを削除する第１削除手段、および受信状態が受信不能を示すとき、第２アナログテレビジョンチャネルのチャネル番号についてのチャネルデータを削除する第２削除手段を備えることを特徴とする、ディジタル／アナログテレビジョン信号受信機である。
【０００６】
第２の発明は、ＡＴＳＣ方式およびＮＴＳＣ方式のテレビジョン信号を受信できるディジタル／アナログテレビジョン信号受信機において、受信可能なＡＴＳＣ方式のテレビジョン信号についてのバーチャルチャネルテーブルを記憶する第１記憶手段、受信可能なＮＴＳＣ方式のテレビジョン信号についての第１アナログテレビジョンチャネルのチャネル番号についてのチャネルデータを記憶する第２記憶手段、バーチャルチャネルテーブルに含まれる第２アナログテレビジョンチャネルの受信状態を検出する検出手段、および受信状態に応じて第１アナログテレビジョンチャネルのチャネル番号についてのチャネルデータおよび第２アナログテレビジョンチャネルのチャネル番号についてのチャネルデータの一方を削除する削除手段を備えることを特徴とする、ディジタル／アナログテレビジョン信号受信機である。
【０００７】
【作用】
このディジタル／アナログテレビジョン信号受信機では、たとえば１つのチューナでＡＴＳＣ方式およびＮＴＳＣ方式のようなディジタルフォーマットおよびアナログフォーマットのテレビジョン信号を受信することができる。オートスキャンの指示がユーザによって入力されると、ＡＴＳＣ方式のテレビジョン信号がチャネル番号の小さい順に検索（サーチ）され、受信可能なテレビジョン信号についてのバーチャルチャネルのテーブルがメモリのような第１記憶手段に記憶される。また、同様に、オートスキャンでは、ＮＴＳＣ方式のテレビジョン信号がチャネル番号の小さい順にサーチされ、受信可能なテレビジョン信号についての第１アナログテレビジョンチャネルのチャネル番号のチャネルデータが第２記憶手段（メモリ）に記憶される。このようにして、受信可能なディジタルテレビジョン信号およびアナログテレビジョン信号についてのチャネル番号等がメモリに記憶される。また、検出手段は、オートスキャン時にバーチャルチャネルに含まれる第２アナログテレビジョンチャネルの受信状態を検出する。そして、第２アナログテレビジョンチャネルの受信状態が受信可能を示す場合には、第１削除手段が第１アナログテレビジョンチャネルのチャネル番号についてのチャネルデータをメモリから削除する。一方、第２アナログテレビジョンチャネルの受信状態が受信不能を示す場合には、第２削除手段が第２アナログテレビジョンチャネルのチャネル番号についてのチャネルデータをバーチャルチャネルのテーブル（メモリ）から削除する。つまり、重複するアナログテレビジョンチャネルのチャネル番号についてのチャネルデータを削除することができ、また受信不能なアナログテレビジョンチャネルのチャネル番号についてのチャネルデータを削除することもできる。
【０００８】
【発明の効果】
この発明によれば、重複するチャネルを削除し、また放送（番組）を受信できないチャネルも削除するようにしているため、チャネルのマップを簡素化できる。したがって、ユーザは簡単に所望のチャネルを選局することができる。つまり、操作性を向上させることができる。
【０００９】
この発明の上述の目的，その他の目的，特徴および利点は、図面を参照して行う以下の実施例の詳細な説明から一層明らかとなろう。
【００１０】
【実施例】
図１を参照して、この実施例のディジタル／アナログテレビジョン信号受信機（以下、単に「受信機」という。）１０は、チューナ１２を含み、チューナ１２には、アンテナ１４が接続される。アンテナ１４はディジタル変調あるいはアナログ変調された地上波放送信号（テレビジョン信号）を受信し、これらのテレビジョン信号はチューナ１２に入力される。たとえば、この実施例では、米国の規格であるＡＴＳＣ方式のテレビジョン信号（ディジタルテレビジョン信号）がアンテナ１４で受信され、またＮＴＳＣ方式のテレビジョン信号（アナログテレビジョン信号）がアンテナ１４で受信される。言い換えると、１つのチューナ１２によって、ＡＴＳＣ方式およびＮＴＳＣ方式のテレビジョン信号を受信することができる。
【００１１】
チューナ１２は、ＣＰＵ２６によって設定されるチャネルデータに従って、受信するディジタルテレビジョン信号あるいはアナログテレビジョン信号の中間周波信号Ｓ１あるいはＳ２を出力する。
【００１２】
たとえば、この実施例では、周波数シンセサイザ方式のチューナ１２を採用しており、ＣＰＵ２６によって設定される周波数のデータ（周波数データ）に従って、チューナ１２は、可変分周器（図示せず）の分周比を変更し、所望のチャネルを受信している。
【００１３】
ＣＰＵ２６は、ユーザが受信機１０に設けられた入力装置（図示せず）あるいはリモコン送信機（図示せず）を用いて入力したチャネル番号を受信し、そのチャネル番号に応じたチャネルデータをチューナ１２に設定する。また、ＣＰＵ２６は、ユーザが入力したチャネル番号に基づいて、受信するテレビジョン信号の種類を判別している。具体的には、後述するバーチャルチャンルに含まれるサブチャネル（マイナー番号）に基づいて、ディジタルテレビジョン信号か、アナログテレビジョン信号かを判別している。
【００１４】
また、図示は省略するが、メモリ２８には、ディジタルテレビジョン放送についての各チャネルに対応する周波数のテーブルおよびアナログテレビジョン放送についての各チャネルに対応する周波数のテーブルが記憶される。つまり、ＡＴＳＣ方式の規格で定められた各チャネルの周波数のテーブルおよびＮＴＳＣ方式の規格で定められた各チャネルの周波数のテーブルが記憶されている。
【００１５】
したがって、ＣＰＵ２６は、ユーザが入力したチャネル番号に基づいて、テレビジョン信号の種類を判別し、該当するテーブルからそのチャネル番号に対応する周波数を取得して、その周波数に対応する周波数データ（チャネルデータ）をチューナ１２に設定する。
【００１６】
ディジタルテレビジョン信号を受信する場合には、チューナ１２にはユーザが入力したチャネルに対応するＡＴＳＣ方式の規格で定められた周波数データが設定され、中間周波信号Ｓ１が出力される。この中間周波信号Ｓ１は、Ａ／Ｄ変換器１６に与えられ、ディジタルデータに変換される。ディジタルデータに変換された中間周波信号Ｓ１は、ＭＰＥＧデコーダ２０でＭＰＥＧ復調される。つまり、映像データ（主映像データおよび副映像データ）および音声データが復調される。この映像データおよび音声データは、Ｄ／Ａ変換器２２でアナログ信号に変換され、アナログ信号に変換された映像信号はＣＲＴあるいはＬＣＤのような表示装置２４から出力される。
【００１７】
なお、アナログ信号に変換された音声信号は、図示しない音声処理部すなわちアンプおよびスピーカ等を介して出力される。
【００１８】
一方、アナログテレビジョン信号を受信する場合には、チューナ１２にはユーザが入力したチャネルに対応するＮＴＳＣ方式の規格で定められた周波数データが設定される。また、アナログテレビジョン信号を受信する場合には、周波数にずれが生じると、正しくテレビジョン信号を受信することができず、出力する映像や音声に乱れが生じるため、図示しない自動周波数調整（ＡＦＴ）回路によって周波数を調整し、チューナ１２からアナログテレビジョン信号の中間周波信号Ｓ２が出力される。この中間周波信号Ｓ２は、ＮＴＳＣデコーダ１８に与えられ、ＮＴＳＣ方式の放送信号に復調される。つまり、ＮＴＳＣ方式の映像信号および音声信号に復調される。この映像信号は、ＭＰＥＧデコーダ２０およびＤ／Ａ変換器２２を介して表示装置２４から出力される。
【００１９】
ただし、ＭＰＥＧデコーダ２２では、映像とともに表示装置２４に表示されるチャネル番号や文字放送の文字や記号のような副映像信号が重畳（付加）される。つまり、ＭＰＥＧデコーダ２２およびＤ／Ａ変換器２４では、アナログテレビジョン信号を復調した映像信号および音声信号に対して復調処理やアナログ変換処理が施されることはない。
【００２０】
なお、音声信号は、ＭＰＥＧデコーダ２０およびＤ／Ａ変換器２２を介して音声処理部に与えられ、スピーカから出力される。
【００２１】
たとえば、ユーザが操作パネルあるいはリモコン送信機を用いて、オートスキャンの指示を入力すると、チャネル番号の小さい順にディジタルテレビジョン信号が存在するかどうかを判断される。つまり、上述したテーブルに従って、ＣＰＵ２６はチューナ１２に周波数データを設定し、該当するチャネルが存在する場合には、そのチャネルについての図２に示すようなバーチャルチャネルのテーブル（バーチャルチャネルテーブル）をメモリ２８に記憶する。
【００２２】
このような処理が全チャネル（この実施例では、６９チャネル）について実行され、メモリ２８にディジタルテレビジョン信号が存在するチャネルのバーチャルチャネルテーブルが記憶される。
【００２３】
このバーチャルチャネルテーブルについて説明すると、「１２−０」チャネルはアナログテレビジョンチャネルであり、「１２−１］チャネルは「１２−０」チャネルが割り当てられたアナログ放送（番組）を視聴する場合に、画面に文字や記号などの副映像を表示するためのチャネルである。また、「１２−５」チャネルは、「１２−０」チャネルと同じ内容のディジタル放送を視聴するためのディジタルテレビジョンチャネルである。さらに、「１２−１２」チャネルおよび「１２−３１」チャネルは、「１２−５］チャネルに割り当てられたディジタル放送を視聴する場合に、画面に副映像等を表示するためのチャネルである。
【００２４】
したがって、ユーザが操作パネルあるいはリモコン送信機を操作して、「１２−０」チャネルあるいは「１２−５」チャネルを選択（選局）すると、対応するアナログテレビジョン信号あるいはディジタルテレビジョン信号の番組を受信することができる。
【００２５】
また、オートスキャンの処理では、ＮＴＳＣ方式のアナログテレビジョン信号のチャネルもプリセットされる。つまり、ディジタルテレビジョン信号のプリセットと同様に、チャネル番号の小さい順に、上述したテーブルを参照して周波数データが設定され、さらにＡＦＴによって周波数を微調整され、番組（放送）がある場合には、そのチャネルのチャネル番号がメモリ２８に記憶（プリセット）される。
【００２６】
ただし、ＣＰＵ２６は、ＮＴＳＣデコーダ２０からＶ−ｓｙｎｃデータ、Ｈ−ｓｙｎｃデータおよびクロマデータ等を受け取り、受信しているアナログテレビジョン信号に実際の放送があるかどうかを判別している。
【００２７】
このようにして、オートスキャンの処理が実行され、受信可能なディジタルテレビジョン信号およびアナログテレビジョン信号のチャネル番号等を取得することができる。
【００２８】
しかし、バーチャルチャネルテーブルに含まれるアナログテレビジョンチャネルが受信可能な場合すなわち番組を視聴できる場合には、ＮＴＳＣ方式のアナログテレビジョン信号についてプリセットしたアナログテレビジョンチャネルとバーチャルチャネルテーブルに含まれるアナログテレビジョンチャネルとが重複してメモリ２８に記憶されることとなる。このような場合にチャネルのマップを表示すると、同じ内容についての選択可能なチャネルが重複して表示されてしまう。また、バーチャルチャネルテーブルに含まれるアナログテレビジョンチャネルが受信不能な場合には、バーチャルチャネルテーブルをそのまま残しておくと、実際に番組（放送）が存在しないのに、あるいは放送はあるが受信環境によって受信できないのに、選択可能なチャネルとしてマップに含まれてしまう。
【００２９】
したがって、チャネル選択（選局）が面倒であり、操作が煩雑になってしまう。このため、この実施例では、前者の場合には、ＮＴＳＣ方式のアナログテレビジョン信号をプリセットした場合のアナログテレビジョンチャネル（チャネル番号）をメモリ２８から削除して、ＮＴＳＣ方式のアナログテレビジョンチャネルが重複して存在するのを回避している。また、後者の場合には、バーチャルチャネルテーブルに含まれるアナログテレビジョンチャネルをメモリ２８から削除して、放送が存在しないまたは受信できないアナログテレビジョンチャネルをユーザが選択（選局）してしまうのを回避している。つまり、不要なアナログテレビジョンチャネルを削除し、チャネルのマップを簡素化するようにしてある。
【００３０】
具体的には、ＣＰＵ２６は、図３および図４に示すようなフロー図を処理し、チャネルのマップを作成している。ユーザがオートスキャンの指示を入力すると、ＣＰＵ２６は処理を開始し、ステップＳ１でチャネル番号を初期化する。つまり、図示しないカウンタのカウント値Ｎを初期化（Ｎ＝１）する。続くステップＳ３では、カウント値Ｎが示す番号のチャネル（Ｎチャネル）をチューニングする。具体的には、ＣＰＵ２６が上述したようなディジタルテレビジョンチャネルのテーブルからＮチャネルに対応する周波数を取得し、その周波数に対応するチャネルデータをチューナ１２に設定する。したがって、中間周波信号Ｓ１が抽出される。
【００３１】
続くステップＳ５では、Ｎチャネルのディジタルテレビジョン信号を受信したかどうかを判断する。具体的には、ＭＰＥＧデコーダ２０で正常に信号を復調できるかどうかを判断する。ステップＳ５で“ＮＯ”であれば、つまりＮチャネルのディジタルテレビジョン信号を受信していなければ、そのままステップＳ９に進む。一方、ステップＳ５で“ＹＥＳ”であれば、つまりＮチャネルのディジタルテレビジョン信号を受信していれば、ステップＳ７でそのチャネルについて取得されるバーチャルチャネルデータをメモリ２８に記録してから、ステップＳ９に進む。
【００３２】
ステップＳ９では、ＮＴＳＣ方式のＮチャネルをチューニングする。具体的には、ＣＰＵ２６は、アナログテレビジョンチャネルのテーブルからＮチャネルの周波数を取得し、その周波数に対応する周波数データをチューナ１２に設定する。そして、チューナ１２では、ＡＦＴによって周波数が微調整される。続くステップＳ１１では、ＮＴＳＣ方式のＮチャネルを受信したかどうかを判断する。つまり、ＣＰＵ２６は、ＮＴＳＣデコーダ１８から出力されるＶ−ｓｙｎｃデータ、Ｈ−ｓｙｎｃデータおよびクロマデータに基づいて実際に番組（放送）があるかどうかを判断する。ステップＳ１１で“ＮＯ”であれば、つまりＮチャネルを受信できなければ、そのままステップＳ１５に進む。一方、ステップＳ１１で“ＹＥＳ”であれば、つまりＮチャネルを正常に受信できれば、ステップＳ１３でＮＴＳＣ方式のＮチャネルについてのアナログテレビジョンチャネルデータ（チャネル番号）をメモリ２８に記憶（プリセット）してから、ステップＳ１５に進む。
【００３３】
ステップＳ１５では、カウント値Ｎをインクリメント（Ｎ＝Ｎ＋１）し、続いて、ステップＳ１７では、カウント値Ｎが７０以上であるかどうかを判断する。具体的には、ＡＴＳＣ方式およびＮＴＳＣ方式の全てのチャネルについてスキャンが終了したかどうかを判断する。ステップＳ１７で“ＮＯ”であれば、つまりカウント値Ｎが７０に満たなければ、全てのチャネルについてのスキャンが終了していないと判断して、ステップＳ３に戻って、次のチャネルについてチューニングする。一方、ステップＳ１７で“ＹＥＳ”であれば、つまりカウント値Ｎが７０以上であれば、全てのチャネルについてのスキャンが終了したと判断して、図４に示すステップＳ１９に進む。
【００３４】
図４に示すように、ステップＳ１９では、カウンタのカウント値Ｎを初期化（Ｎ＝１）する。続くステップＳ２１では、カウント値Ｎが示すチャネルのバーチャルチャネルテーブルを参照し、サブチャネルがあるかどうかを判断する。具体的には、マイナー番号「０」のアナログテレビジョンチャネルデータが存在するかどうかを判断する。ステップＳ２１で“ＮＯ”であれば、つまりバーチャルチャネルにアナログテレビジョンチャネルが存在しなければ、そのままステップＳ３１に進む。
【００３５】
一方、ステップＳ２１で“ＹＥＳ”であれば、つまりバーチャルチャネルにアナログテレビジョンチャネルが存在していれば、ステップＳ２３でそのバーチャルチャネルに存在するアナログテレビジョンチャネルのアナログテレビジョン信号を受信できるかどうかを判断する。具体的には、ステップＳ１３でメモリ２８に記憶したアナログテレビジョンチャネルかどうかを判断する。
【００３６】
ステップＳ２３で“ＹＥＳ”であれば、つまりメモリ２８に記憶したアナログテレビジョンチャネルであれば、受信できると判断し、ＮＴＳＣ方式のアナログテレビジョンチャネルをメモリ２８から削除し、ステップＳ２９に進む。一方、ステップＳ２３で“ＮＯ”であれば、つまりアナログテレビジョンチャネルがメモリ２８に記憶されてなければ、受信できないと判断し、ステップＳ２７でバーチャルチャネルのアナログテレビジョンチャネルデータを削除してから、ステップＳ２９に進む。
【００３７】
ステップＳ２９では、メモリ２８に記憶された全てのバーチャルチャネルを参照したかどうかを判断する。具体的には、ＣＰＵ２６は、カウント値Ｎがメモリ２８に記憶されたバーチャルチャネルのテーブルの数以上であるかどうかどうかを判断する。がステップＳ２９で“ＮＯ”であれば、つまりカウント値Ｎがメモリ２８に記憶されたバーチャルチャネルのテーブルの数以上でなければ、全てのバーチャルチャネルを参照していないと判断し、ステップＳ３１でカウント値Ｎをインクリメント（Ｎ＝Ｎ＋１）して、ステップＳ２１に戻る。つまり、次のバーチャルチャネルを参照する。
【００３８】
一方、ステップＳ２９で“ＹＥＳ”であれば、つまりカウント値Ｎがメモリ２８に気負うされたバーチャルチャネルのテーブルの数以上であれば、全てのバーチャルチャネルを参照したと判断し、処理を終了する。
【００３９】
このように、メモリ２８内のアナログテレビジョンチャネルが削除され、チャネルのマップが簡素化される。それ以降では、図３および図４の処理によって作成されたチャネルのマップを画面表示することにより、ユーザは選局することができる。
【００４０】
この実施例によれば、ＡＴＳＣ方式のディジタルテレビジョン信号についてのバーチャルチャネルに含まれるアナログテレビジョンチャネルを受信できる場合には、そのアナログテレビジョンチャネルに対応するＮＴＳＣ方式のアナログテレビジョンチャネルを削除するので、アナログテレビジョンチャネルが重複して記憶されることがない。
【００４１】
また、バーチャルチャネルに含まれるアナログテレビジョンチャネルを受信できない場合には、バーチャルチャネルに含まれるアナログテレビジョンチャネルを削除するので、実際に番組（放送）がないあるいは受信できないチャネルをメモリから削除することができる。
【００４２】
このように、チャネルのマップを簡素化することができるので、ユーザは所望のチャネルを容易に選択することができる。すなわち、操作性を向上させることができる。
【００４３】
なお、この実施例では、周波数シンセサイザ方式のチューナを採用するようにしたが、電圧シンセサイザ方式のチューナを採用することもできる。この場合には、ＣＰＵは、ディジタル／アナログの各チャネルに対応する電圧のテーブルに基づいて電圧データをチューナに設定する。
【００４４】
また、この実施例では、地上波放送を受信する場合について説明したが、ケーブルテレビジョン放送を受信する場合についても適用できることは言うまでもない。この場合には、アンテナに換えてケーブルがチューナに接続される。
【００４５】
さらに、この実施例では、米国の地上波放送を受信する場合について説明したが、同一の方式を採用する受信機であれば、他国の地上波放送を受信する場合であっても適用できることは言うまでもない。ただし、国や地域毎にチャネル数が変わるので、図３で示したステップＳ１７におけるカウント値Ｎの判断の処理等が変更される。
【図面の簡単な説明】
【図１】この発明の一実施例を示す図解図である。
【図２】バーチャルチャネルのテーブルの一例を示す図解図である。
【図３】図１実施例に示すＣＰＵの処理の一部を示すフロー図である。
【図４】図１実施例に示すＣＰＵの処理の他の一部を示すフロー図である。
【符号の説明】
１０  …ディジタル／アナログテレビジョン信号受信機
１２  …チューナ
１４  …アンテナ
１６  …Ａ／Ｄ変換器
１８  …ＮＴＳＣデコーダ
２０  …ＭＰＥＧデコーダ
２２  …Ｄ／Ａ変換器
２４  …表示装置
２６  …ＣＰＵ
２８  …メモリ
【図１】
0004626737.tif 000002
【図２】
0004626737.tif 000003
【図３】
0004626737.tif 000004
【図４】
0004626737.tif 000005